(57)【要約】【目的】ホームページ上の掲載情報を分類語別に速報し、公開の目的に沿った情報の効果的な周知を可能にするとともに、情報利用者が分類語により求める情報の所在を知って、直ちにホームページから情報を入手できる環境を用意し、積極的な情報公開と情報の円滑かつ迅速な流通を促す。【構成】ホームページの公開者が、掲載する情報に対応して選定した分類語をもとに、当該公開者名をリンク元とするホームページの直接閲覧環境を提供するウエブサイトであり、公開者名を露出する分類語スペースを決定する手段、利用者の情報選択を効率化するサイト画面の編集を行う手段、リンク元からホームページの情報掲載頁にリンクを設定する手段、公開者名の露出状態を調整する手段およびリンク元からのアクセス状況を分析する手段を有するホームページ情報の周知検索方式。【選択図】　　　　なし【特許請求の範囲】
【請求項１】
ホームページの公開者がインターネットによりウエブサイトにアクセスした後、自己のホームページ上の情報に対して、ウエブサイト上に用意するカテゴリー等の分類語の中から当該情報に適するものを選択する過程と、公開者が当該情報を掲載するホームページのアドレスをウエブサイトからのリンク先として指定する過程と、これらの結果にもとづき、公開者名をリンク元としてウエブサイト上の当該分類語に併せて露出し、かつ、リンクを有効にする過程と、当該ホームページへのアクセス状況を公開者が視認できる手段と、ウエブサイトの情報管理手段から成り、ウエブサイト上の分類語を介して、ホームページの公開者が掲載した情報を速やかに知らせ、利用者は情報の掲載をいち早く知りその閲覧ができることを特徴とするホームページ情報の周知検索方式。
【発明の詳細な説明】
【０００１】
【発明の属する技術分野】
本発明は、公開者が、ホームページに掲載した情報をウエブサイトの画面上で分類語、公開者名等で速やかに知らせるほか、ウエブサイトからのリンクにより当該情報を直ちに閲覧可能な状況におき、ホームページ情報の公開効果を高めると共に、利用者の情報検索を的確かつ効率的に完結させるための方式に関するものである。
【０００２】
【従来の技術】
ホームページは、公開者が自由に情報を公開し、利用者は自由に情報を利用するという情報流通の手段として広く活用されている。しかし、現状では、公開者がホームページに情報を公開した以後、自らの手で当該情報をインターネット上に知らせる手段は無く、また利用者も検索エンジン（ロボット型及びディレクトリ型等を総称する。）による検索では、検索語を含むホームページの全てが検出され、求める情報に至るには、以後相当な選択の労を強いられる状況にある。加えて、現状では、ホームページ上の情報が掲載後時日を経過し又は期限切れとなっても、ホームページ上に存在する限り、利用者の検索結果に同様の頻度で現れる状況にある。
【０００３】
【発明が解決しようとする課題】
本発明は、前記の点に着目してなされたものであり、その課題は、ホームページの公開者が情報の公開に当って、自ら、利用者が合理的に想定できる形で情報の内容等を知らせることができること、利用者が当該情報の内容等にもとづき直ちに当該情報を掲載するホームページ上の当該ページを閲覧できること、またその結果として、公開者が、当該情報を掲載するページへのアクセス状況を有意に把握できること、等により、ホームページによる情報の開示と利用を活性化する点にある。
【０００４】
【課題を解決するための手段】
前記の課題を解決するため本発明は、ホームページ情報の周知検索方式とし
て、ホームページの公開者がインターネットによりウエブサイトにアクセスした後、自己のホームページ上の情報に対して、ウエブサイト上に用意するカテゴリー等の分類語の中から当該情報に適するものを選択する過程と、公開者が当該情報を掲載するホームページのアドレスをウエブサイトからのリンク先として指定する過程と、これらの結果にもとづき、公開者名をリンク元としてウエブサイト上の当該分類語に併せて露出し、かつ、リンクを有効にする過程と、当該ホームページへのアクセス状況を公開者が視認できる手段と、ウエブサイトの情報管理手段から成り、ウエブサイト上の分類語を介して、ホームページの公開者が掲載した情報を速やかに知らせ、利用者は情報の掲載をいち早く知りその閲覧ができるようにするという手段を講じたものである。
【０００５】
【発明の実施の形態】
本発明に係るホームページ情報の周知検索方式には次の８点が必要である。
（１）予めサイトを利用する公開者に、ウエブサイトへのアクセス条件として所定事項の登録を求め、ＩＤコード及びパスワードを交付する。
（２）公開者は、サイトにアクセスの上、知らせようとする情報に対応する分類語を選定する。なお本発明において「知らせる」とは、一般には「周知させると言うのと同じ意味で用いている。
（３）公開者は選定結果を確認のうえ、知らせようとする情報を掲載するホームページのアドレス（以下ＵＲＬという。）を所定の手順により入力する。
（４）公開者による選定および入力結果に基き、ウエブサイトの画面の編集に必要なデータを確認し、併せて情報管理上必要な日時データ等を取得する。
（５）分類語を元に、公開者名のサイト上の露出先を決定し、公開者名を当該分類語のスペースに露出する。
（６）サイト上に露出する公開者名と当該公開者がＵＲＬで指定したホームページ間のリンクを有効にする。
（７）公開者名の露出状況を、時日の経過に対応し調整する。
（８）カウンタ機能を配し、リンク元からのアクセス状況を把握する。
【０００６】
本発明における上記要件の業務システム上の重要度は（１）〜（６）において特に大きい。
【０００７】
【実施例】
以下、本発明の実施例を図面に基づいてより詳細に説明する。
【０００８】
図１に、本発明の実施例におけるウエブサイトの基本的構成を示す。ディスプレイ装置１１は、ウエブサイトの機能を監視し、サイト運営上の業務処理を視認するモニターである。ウエブサーバ１２はウエブサイトの機能に必要な処理を行ない、またインターネットとの間のデータ授受の処理を行なう。ゲートウェイ装置１３は通信回線への接続装置であり、インターネットサービスプロバイダー経由でインターネット１４に接続する。この構成をもってウエブサイトはインターネット経由でホームページ公開者１５および利用者１６と対応する。
【０００９】
図２に、本実施例における主業務の一サイクルの処理フローを示す。主業務は、ホームページ公開者が情報に対応して指定した分類語を検出し、それに基づき、公開者名を分類語に対応させてサイト上に露出し、当該情報を掲載するホームページの該当ページへのリンクを設定するもので、公開者により「周知させるための（知れわたらせるための）指定」が行われる都度実行する。
【００１０】
ステップ２１で、公開者のＩＤコード及びパスワードを確認のうえ受付け、ステップ２２で分類語選定画面を表示する。ステップ２３で公開者が行った分類語の選択結果に基づきリンク元露出先の分類語スペースを画面上にて決定する。ステップ２４で、情報を説明するコメント等の許容記載事項としての付記入力を受付け、ステップ２５で、公開者が選定した分類語に対応する情報を掲載するホームページのＵＲＬの入力を要求し、入力確認を行なう。次いで、ステップ２６で公開者の指定・送信操作を受け、ステップ２７で、露出および表示関係の編集を行ない、ステップ２８で、予め登録済みの公開者名等を検索用の画面の該当分類語スペースに露出し、公開者が入力したＵＲＬとのリンクを有効にする。
【００１１】
図３は、ウエブサイトの検索用画面に公開者名を露出する処理の流れを示す。公開者名のウエブサイト上の露出期間はサービス約款に定めるところによるものとし、同一分類語の下における各公開者名の表示は露出開始時間による降順表示とし、公開者が指定した時間又はサイトの所定時間の経過により露出を中止し、リンクを解除する。
【００１２】
ステップ３１で、公開者名の露出開始後の時間管理を開始し、ステップ３２で新たな公開者名の露出があった場合、表示位置の調整を行なう。又ステップ３３で所定の時間経過による露出の中止または繰返し露出の判断を行ない、ステップ３４で露出の中止または再度露出の処理を行なう。
【００１３】
図４は、公開者名の露出期間中に、リンク元である公開者名からリンク先である情報掲載ホームページへのアクセスの状況を、リンク元が露出している分類語対応で集計、表示する業務を示すものである。
【００１４】
ステップ４１で、リンク元である公開者名の露出開始と同時に、同一のＵＲＬにリンクするリンク元を特定し、ステップ４２で、リンク元のクリックカウンタを起動し、クリック数のカウントを開始する。ステップ４３で、カウンタのデータをリンク元が露出している分類語に対応させて蓄積し、ステップ４４で、公開者が参照した場合、分類語と各カウンタの累計カウントおよびリンク先のホームページのサムネイルを取得し、ウエブサイト上の一画面に編集表示する。
【００１５】
図５は、公開者が、ホームページに掲載した情報について、ウエブサイトにおいて用意した分類語を選択し、当該情報掲載ホームページへのリンクを指定した結果、ウエブサイトの検索用の画面に公開者名がリンク元として露出した状態をイメージとして示したものである。５１は、利用者が分類語の選択を経て到達した最終分類語の一覧画面であり、５２は、この画面に至る分類語の選択経過の表示である。５３は、最終分類語であり、５４は、同分類語を選択して自己の情報の内容等を周知している公開者名である。公開者名は、当該情報掲載ホームページへのリンク元でもある。
【００１６】
図６は、図５で、サウンドファクトリーをクリックした場合に開く、公開者であるサウンドファクトリー社の指定情報掲載ホームページをイメージ的に示したものである。
【００１７】
図７は、公開者がホームページの情報をウエブサイトにより周知させる手順であり、公開者が行なうものと、ウエブサイトで実行するものとを関連づけて示している。公開者は、ウエブサイトにアクセスし、登録済みのＩＤコードおよびパスワードを入力し、以後表示される画面上で、周知する情報に適した３階層からなる分類語を順次選択する。この３階層に渉る選択は、１つの情報に関し、最大１０まで可能であり、情報に含まれる諸種のトピックを生かし、複数の情報を知らせることが可能となっている。次いで、案内画面にしたがい、許容付記事項および当該情報を掲載している当該ページのＵＲＬを入力し、指定ボタン、続いて送信ボタンをクリックし、ウエブサイト上の露出を実行させる。
【００１８】
図８は、公開者が情報をあまねく知らせるための指定を行なった結果（による情報周知の指定）を編集し、ウエブサイトの画面に表示する手順を示している。公開者が入力したＩＤコード及びパスワードにより公開者の露出名を確認し、露出名の表示位置を分類語により設定する。続いて同位置に、付記されたテキストを所定スペースに割当て、入力されたＵＲＬへのリンクを設定し、画面の表示処理を終える。
【００１９】
図９は、ウエブサイト経由で公開者の指定により（公開者が知悉している）当該ホームページに直接アクセスし、情報を入手する手順を示す。まずウエブサイトにアクセスした後、画面表示にしたがって３階層からなる分類語を順次選択し、３層目の最終分類語を表示する画面に至り、各分類語のスペースに露出する公開者名および付記事項から情報内容を判断し、リンク元である公開者名をクリックすると、ホームページ中の当該情報掲載ページが直接開き、情報の入手が可能となる。
【００２０】
ウエブサイトは以上のように、公開者がホームページ上の任意の情報を自ら効果的に知らせ、当該情報の有効消化をはかることを支援するとともに、他方では、利用者が求める情報の公開をいち早く知り、直ちにその情報を入手することを支援する。このことで、単に情報の公開と検索の便を供するに止まらず、情報を中心に当事者間の時間的、空間的距離を埋める通信性要素も含むウエブサイトとして、利用に供することができるものである。
【００２１】
本発明は、以上の如く構成されかつ作用するものであるから、ホームページの公開者が情報開示の効果や情報利用のタイミングを合理的に想定し、情報の形式、内容、デザイン、掲載時期、掲載場所等を工夫することで開示効果を高めることができる他、利用者においても分類語の選択で求める情報分野の公開情報を幅広く注視し、時期を失せず情報を入手できることで、情報流通の活性化を促す効果が期待できる。
【図面の簡単な説明】
【図１】本発明に係るホームページ情報の周知検索方式の実施例によるウエブサイトのシステム構成を示す説明図。
【図２】本発明における主業務の実行手順を示すフローチャート。
【図３】主業務の実行を受け、検索画面上における公開者名の露出管理の手順を示すフローチャート。
【図４】利用者によるリンク元からのクリック数をカウントし、公開者が指定した情報掲載ページへのアクセス状況を参照させる手順を示すフローチャート。
【図５】画面上に、公開者の指定した分類語に対応し、情報掲載ホームページへのリンク元が露出した状態を示すイメージ図。
【図６】画面上で、公開者名をクリックして、ホームページが開いたイメージを示す正面図。
【図７】公開者のリンク元露出指定の手順の説明図。
【図８】画面の編集手順の説明図
【図９】利用者の情報検索手順の説明図
【符号の説明】
１１　ディスプレイ装置
１２　ウエブサーバ
１４　インターネット装置
１５　ホームページ公開者
１６　利用者
【図１】
2004110310.tif 000002
【図２】
2004110310.tif 000003
【図３】
2004110310.tif 000004
【図４】
2004110310.tif 000005
【図５】
2004110310.tif 000006
【図６】
2004110310.tif 000007
【図７】
2004110310.tif 000008
【図８】
2004110310.tif 000009
【図９】
2004110310.tif 000010